【手続補正書】
【提出日】平成18年6月6日(2006.6.6)
【手続補正１】
【補正対象書類名】明細書
【補正対象項目名】特許請求の範囲
【補正方法】変更
【補正の内容】
【特許請求の範囲】
【請求項１】  ルーターを介してユーザーのサーバーをインターネットに接続し、
前記サーバーに対して前記インターネットを介して送信されたデータの量と、このデータを送信してきた送信元のＩＰアドレスとを所定時間毎に測定し、
測定したデータ量が予め設定されている規定値以上となった場合、規定値以上のデータ量を送信してきた特定送信元の特定ＩＰアドレスから前記サーバーに対して送信されてきたデータは、前記ルーターに破棄させる
ことを特徴とする通信状態制御方法。
【請求項２】  請求項１記載の通信状態制御方法において、
前記サーバーに対して前記インターネットを介して送信されたデータの量と、このデータを送信してきた送信元のＩＰアドレスとの測定は、前記ユーザー側で行い、
前記ユーザー側で測定したデータ量が予め設定されている規定値以上になったと判断されたとき、インターネットサービスプロバイダ側で前記特定ＩＰアドレスから前記サーバーに対して送信されてきたデータを、前記ルーターに破棄させる
ことを特徴とする通信状態制御方法。
【請求項３】  ルーターを介してユーザーのサーバーをインターネットに接続し、
サーバーのシステム稼働率を測定し、
前記サーバーのシステム稼働率が予め設定されている規定値以上となった場合、特定ＩＰアドレスから前記サーバーに対して送信されてきたデータは、前記ルーターに破棄させる
ことを特徴とする通信状態制御方法。
【請求項４】  請求項３記載の通信状態制御方法において、
前記サーバーのシステム稼働率が規定値以上となった時点においてデータを送信していた特定送信元のＩＰアドレスを前記特定ＩＰアドレスとする
ことを特徴とする通信状態制御方法。
【請求項５】  請求項３記載の通信状態制御方法において、
前記サーバーのシステム稼働率の測定は、前記ユーザー側で行い、前記ユーザー側で前記サーバーのシステム稼働率が予め設定されている規定値以上となったと判断されたとき、前記インターネットサービスプロバイダ側で前記特定ＩＰアドレスから前記サーバーに対して送信されてきたデータを、前記ルーターに破棄させる
ことを特徴とする通信状態制御方法。
【請求項６】  請求項３記載の通信状態制御方法において、
前記サーバーに対して前記インターネットを介して送信されたデータの量と、このデータを送信してきた送信元のＩＰアドレスとを所定時間ごとに測定し、
測定したデータ量が予め設定されている規定値以上となった場合、規定値以上のデータ量を送信してきた特定送信元のＩＰアドレスを前記特定ＩＰアドレスとする
ことを特徴とする通信状態制御方法。
【請求項７】  請求項３〜６のいずれか１校に記載の通信状態制御方法において、
前記サーバーのシステム稼働率は、サーバーのＣＰＵの稼働率、又はＣＰＵの主メモリの使用率、又は前記サーバーに対する一定時間あたりの総リクエスト数、又は単位時間あたりの通信量である
ことを特徴とする通信状態制御方法。
【請求項８】  請求項１〜７のいずれか１項に記載の通信状態制御方法において、
前記サーバーは、このサーバーが接続するネットワークを介して専用線に接続し、
前記ネットワークは、前記ルーターを介して前記専用線に接続する
ことを特徴とする通信状態制御方法。
【請求項９】  請求項１〜８いずれか１項に記載の通信状態制御方法において、
前記ルーターで破棄するデータ量が予め設定されている規定値以下となった場合、前記ルーターにおける前記特定ＩＰアドレスから前記サーバーに対して送信されたデータの破棄を停止することを特徴とする通信状態制御方法。
【請求項１０】  サーバーに対して前記インターネットを介して送信されたデータの量と、このデータを送信してきた送信元のＩＰアドレスとを所定時間毎に測定するトラフィック測定手段と、
このトラフィック測定手段が測定したデータ量を監視してこのデータ量が予め設定されている規定値以上となった場合、規定値以上のデータ量を送信してきた特定送信元の特定ＩＰアドレスをルーター制御手段に通知するトラフィック監視手段と
を備え、
前記ルーター制御手段は、前記トラフィック監視手段から通知された特定ＩＰアドレスから前記サーバーに対して送信されてきたデータを、インターネットに接続するルーターに破棄させるように制御することを特徴とする通信状態制御システム。
【請求項１１】  サーバーのシステム稼働率を測定するトラフィック測定手段と、
前記サーバーのシステム稼働率を監視してこれらが予め設定されている規定値以上となった場合、特定ＩＰアドレスをルーター制御手段に通知するトラフィック監視手段と
を備え、
前記ルーター制御手段は、前記トラフィック監視手段から通知された特定ＩＰアドレスから前記サーバーに対して送信されてきたデータを前記インターネットに接続するルーターに破棄させるように制御することを特徴とする通信状態制御システム。
【請求項１２】  請求項１１記載の通信状態制御システムにおいて、
前記サーバーのシステム稼働率が規定値以上となった時点においてデータを送信していた特定送信元のＩＰアドレスを前記特定ＩＰアドレスとする
ことを特徴とする通信状態制御システム。
【請求項１３】  請求項１１記載の通信状態制御システムにおいて、
サーバーに対してインターネットを介して送信されたデータの量と、このデータを送信してきた送信元のＩＰアドレスとを所定時間ごとに測定する第２のトラフィック測定手段と、
前記第２のトラフィック測定手段が測定したデータ量を監視してこのデータ量が予め設定されている規定値以上となった場合、規定値以上のデータ量を送信してきた特定送信元のＩＰアドレスを前記特定ＩＰアドレスとすることを特徴とする通信状態制御システム。
【請求項１４】  請求項１１〜１３のいずれか１項に記載の通信状態制御システムにおいて、
前記サーバーのシステム稼働率は、サーバーのＣＰＵの稼働率、又はＣＰＵの主メモリの使用率、又は前記サーバーに対する一定時間あたりの総リクエスト数、又は単位時間あたりの通信量である
ことを特徴とする通信状態制御システム。
【請求項１５】  請求項１０〜１４のいずれか１項に記載の通信状態制御システムにおいて、
前記サーバーが接続するネットワークと、
このネットワークと前記専用線とを接続するルーターとを備える
ことを特徴とする通信状態制御システム。
【請求項１６】  請求項１０〜１５のいずれか１項に記載の通信状態制御システムにおいて、
前記ルーター制御手段は、前記ルーターで破棄するデータ量が予め設定されている規定値以下となった場合、前記ルーターにおける前記特定ＩＰアドレスから前記サーバーに対して送信されたデータの破棄を停止するように制御する
ことを特徴とする通信状態制御システム。
【請求項１７】  ユーザー側のネットワークに対してトラヒックを渡すルーターを有するネットワークにおける通信状態制御方法であって、
前記ユーザー側のネットワークから、特定のＩＰアドレスからのトラヒックについての制御指示を受け取ると、前記ユーザーに対応づけて予め登録してある制御内容に従って前記ルーターに対してトラヒック配送の制御を行わせる
ことを特徴とする通信状態制御方法。
【請求項１８】  請求項１７記載の通信状態制御方法において、
前記ユーザー側のネットワークからの制御信号は、前記ユーザー側のネットワークが受け取るトラヒック量が予め定められた閾値を越えた際に発せられるものである
ことを特徴とする通信状態制御方法。
【請求項１９】  請求項１７記載の通信状態制御方法において、
前記ユーザー側のネットワークからの制御指示は、前記ユーザー側のネットワーク内に設置されたサーバーのシステム稼働率が予め定められた閾値を越えた際に発せられたものである
ことを特徴とする通信状態制御方法。
【請求項２０】  請求項１９記載の通信状態制御方法において、
前記ユーザー側のネットワークからの制御信号は、前記ユーザー側のネットワークが受け取るトラフィック量が予め定められた閾値を越え、かつ、前記ユーザー側のネットワーク内に設置されたサーバーのシステム稼働率が予め定められた閾値を越えた際に発せられたものである
ことを特徴とする通信状態制御方法。
【手続補正２】
【補正対象書類名】明細書
【補正対象項目名】０００６
【補正方法】変更
【補正の内容】
【０００６】
【課題を解決するための手段】
本発明の通信状態制御方法は、ルーターを介してインターネットに接続しているユーザーのサーバーに対してインターネットを介して送信されたデータの量と、このデータを送信してきた送信元のＩＰアドレスとを所定時間毎に測定し、測定したデータ量が予め設定されている規定値以上となった場合、規定値以上のデータ量を送信してきた特定送信元の特定ＩＰアドレスからサーバーに対して送信されてきたデータは、ルーターに破棄させようとしたものである。
この発明によれば、規定値以上のデータ量を送信してきた送信元からのデータは、ユーザーのサーバーにまで到達しない。
【手続補正３】
【補正対象書類名】明細書
【補正対象項目名】０００７
【補正方法】変更
【補正の内容】
【０００７】
上記発明では、サーバーに対して送信されたデータの量と、このデータを送信してきた送信元のＩＰアドレスとの測定は、ユーザー側で行い、ユーザーで測定したデータ量が予め設定されている規定値以上になったと判断されたとき、インターネットサービスプロバイダ側で特定ＩＰアドレスからサーバーに対して送信されてきたデータを、ルーターに破棄させる。
【手続補正４】
【補正対象書類名】明細書
【補正対象項目名】０００８
【補正方法】変更
【補正の内容】
【０００８】
また、本発明の通信状態制御方法は、ルーターを介してインターネットに接続しているユーザーのサーバーの、例えばＣＰＵの稼働率とこのＣＰＵの主メモリの使用率とサーバーに対する一定時間あたりの総リクエスト数と単位時間あたりの通信量となどのシステム稼働率を測定し、システム稼働率が予め設定されている規定値以上となった場合、例えば規定値以上となった時点においてデータを送信していた特定送信元などの特定ＩＰアドレスからサーバーに対して送信されてきたデータは、ルーターに破棄させようとしたものである。
この発明によれば、測定値が規定値以上となった場合の送信元からのデータは、ユーザーのサーバーにまで到達しない。
【手続補正５】
【補正対象書類名】明細書
【補正対象項目名】０００９
【補正方法】変更
【補正の内容】
【０００９】
上記発明では、サーバーのＣＰＵの稼働率とこのＣＰＵの主メモリの使用率とサーバーに対する一定時間あたりの総リクエスト数と単位時間あたりの通信量となどのシステム稼働率の測定は、ユーザー側で行い、ユーザー側でシステムの稼働率が予め設定されている規定値以上になったと判断されたとき、例えばインターネットサービスプロバイダ側で、特定ＩＰアドレスからサーバーに対して送信されてきたデータを、ルーターに破棄させる。
【手続補正６】
【補正対象書類名】明細書
【補正対象項目名】００１０
【補正方法】変更
【補正の内容】
【００１０】
また、上記発明において、サーバーは、このサーバーが接続するネットワークを介して専用線に接続し、ネットワークはルーターを介して専用線に接続する。また、インターネットルーターまたは回線ルーターなどのルーターで破棄するデータ量が予め設定されている規定値以下となった場合、ルーターにおける特定ＩＰアドレスからサーバーに対して送信されたデータの破棄を停止する。
【手続補正７】
【補正対象書類名】明細書
【補正対象項目名】００１１
【補正方法】変更
【補正の内容】
【００１１】
本発明の通信状態制御システムは、例えば、インターネットルーターおよび回線ルーター等のルーターに接続されてルーターを制御するルーター制御手段を備えたインターネットサービスプロバイダと、回線ルーターに専用線で接続されたユーザーのサーバーと、このサーバーに対してインターネットを介して送信されたデータの量と、このデータを送信してきた送信元のＩＰアドレスとを所定時間毎に測定するトラフィック測定手段と、このトラフィック測定手段が測定したデータ量を監視してこのデータ量が予め設定されている規定値以上となった場合、規定値以上のデータ量を送信してきた特定送信元の特定ＩＰアドレスをルーター制御手段に通知するトラフィック監視手段とを備え、ルーター制御手段は、トラフィック監視手段から通知された特定ＩＰアドレスからサーバーに対して送信されてきたデータを、インターネットに接続するルーターに破棄させるように制御するものである。
この発明によれば、規定値以上のデータ量を送信してきた送信元からのデータは、ユーザーのサーバーにまで到達しない。
【手続補正８】
【補正対象書類名】明細書
【補正対象項目名】００１２
【補正方法】変更
【補正の内容】
【００１２】
本発明の通信状態制御システムは、インターネットルーターおよび回線ルーターなどのルーターに接続されてルーターを制御するルーター制御手段を備えたインターネットサービスプロバイダと、回線ルーターに専用線で接続するユーザーのサーバーのＣＰＵの稼働率とこのＣＰＵの主メモリの使用率とサーバーに対する一定時間あたりの総リクエスト数と単位時間あたりの通信量となどのシステム稼働率を測定するトラフィック測定手段と、システム稼働率を監視してこれらが予め設定されている規定値以上となった場合、例えば規定値以上となった時点においてデータを送信していた特定送信元の特定ＩＰアドレスをルーター制御手段に通知するトラフィック監視手段とを備え、ルーター制御手段は、トラフィック監視手段から通知された特定ＩＰアドレスからサーバーに対して送信されてきたデータを、ルーターに破棄させるように制御するものである。
この発明によれば、測定値が規定値以上となった場合の送信元からのデータは、ユーザーのサーバーにまで到達しない。
【手続補正９】
【補正対象書類名】明細書
【補正対象項目名】００１３
【補正方法】変更
【補正の内容】
【００１３】
上記発明では、サーバーが接続するネットワークと、このネットワークと専用線とを接続するルーターとを備えている。また、ルーター制御装置は、ルーターで破棄するデータ量が予め設定されている規定値以下となった場合、ルーターにおける特定ＩＰアドレスからサーバーに対して送信されたデータの破棄を停止するように制御する。
【手続補正１０】
【補正対象書類名】明細書
【補正対象項目名】００１４
【補正方法】変更
【補正の内容】
【００１４】
また、本発明の通信状態制御方法は、ユーザー側のネットワークに対してトラヒックを渡すルーターと、例えばこのルーターと通信ネットワークを介して接続されてインターネットからのユーザー側のネットワークへのトラヒックを受け取るインターネットルーターとなどを有するネットワークにおける通信状態制御方法であって、ユーザー側のネットワークから、特定のＩＰアドレスからのトラヒックについての制御指示を受け取ると、ユーザーに対応付けて予め登録してある制御内容にしたがってルーターに対してトラヒック配送の制御を行わせようとしたものである。
この発明によれば、規定値以上のトラヒックが発生した場合、これの送信元からのデータは、ルーターで制限される。